(57)【特許請求の範囲】
【請求項１】
少なくとも一つの読み取り対象物を含む一つの処理単位が供給位置にセットされた場合に、一つの前記処理単位に含まれる少なくとも一つの前記読み取り対象物を、所定の搬送経路に沿って前記供給位置から排出位置へと搬送可能に構成された搬送部と、
読み取り対象物の画像を読み取り可能な読取部と、
前記読取部によって読み取られた前記画像の画像データに関する処理を実行可能に構成された処理部と
を備え、
前記読取部は、前記搬送部によって搬送される前記読み取り対象物の画像を読み取り可能に構成され、
前記処理部は、
前記読取部によって読み取られた前記画像の画像データが格納されたファイルを出力する際、単一ファイル中に複数の前記画像データを格納可能な第一形式のファイル、及び単一ファイル中に単一の前記画像データを格納可能な第二形式のファイルのうち、いずれのファイルを出力するのかを示す設定が含まれる情報を取得する情報取得処理と、
前記読み取り対象物が前記搬送部によって搬送される読み取り対象物か否かを判定する判定処理と、
前記判定処理において、前記読み取り対象物が前記搬送部によって搬送される読み取り対象物であると判定された場合、かつ前記情報取得処理によって取得された前記情報中に、前記第一形式のファイルを出力する旨の設定が含まれている場合に、少なくとも一つの読み取り対象物を含む処理単位を対象に当該処理単位に含まれる前記読み取り対象物の画像を前記読取部によって読み取る読取処理を、一つの前記処理単位に対して実行し、当該読取処理の実行後、当該読取処理を継続するか否かを利用者に対して問い合わせる問い合わせ処理を実行し、以降は、前記問い合わせ処理において継続する旨を示す操作が利用者によって行われるたびに、更に一つの前記処理単位に対する前記読取処理と前記問い合わせ処理とを実行し、前記問い合わせ処理において継続しない旨を示す操作が利用者によって行われた場合には、その時点までに実行された前記読取処理によって読み取られた前記画像の画像データ全てが単一のファイルに格納された前記第一形式のファイルを出力する第一出力処理と、
前記判定処理において、前記読み取り対象物が前記搬送部によって搬送される読み取り対象物であると判定された場合、かつ前記情報取得処理によって取得された前記情報中に、前記第二形式のファイルを出力する旨の設定が含まれている場合に、前記読取処理を、一つの前記処理単位に対して実行し、当該読取処理によって読み取られた前記画像の画像データが当該画像と同数のファイルに一対一で格納された前記第二形式のファイルを出力する第二出力処理と
を実行可能に構成されている画像読取装置。
【請求項２】
請求項１に記載の画像読取装置であって、
一つの前記処理単位に含まれる一つの前記読み取り対象物を支持可能に構成されたプラテン部
を備え、
前記読取部は、前記プラテン部によって支持された前記読み取り対象物の画像を読み取り可能に構成され、
前記判定処理は、前記読み取り対象物が前記搬送部によって搬送される読み取り対象物か、前記プラテン部によって支持された読み取り対象物かを判定し、
前記第一出力処理は、前記判定処理において、前記読み取り対象物が前記プラテン部によって支持された読み取り対象物であると判定された場合、かつ前記情報取得処理によって取得された前記情報中に、前記第一形式のファイルを出力する旨の設定が含まれている場合に、少なくとも一つの読み取り対象物を含む処理単位を対象に当該処理単位に含まれる前記読み取り対象物の画像を前記読取部によって読み取る読取処理を、一つの前記処理単位に対して実行し、当該読取処理の実行後、当該読取処理を継続するか否かを利用者に対して問い合わせる問い合わせ処理を実行し、以降は、前記問い合わせ処理において継続する旨を示す操作が利用者によって行われるたびに、更に一つの前記処理単位に対する前記読取処理と前記問い合わせ処理とを実行し、前記問い合わせ処理において継続しない旨を示す操作が利用者によって行われた場合には、その時点までに実行された前記読取処理によって読み取られた前記画像の画像データ全てが単一のファイルに格納された前記第一形式のファイルを出力し、
前記第二出力処理は、前記判定処理において、前記読み取り対象物が前記プラテン部によって支持された読み取り対象物であると判定された場合、かつ前記情報取得処理によって取得された前記情報中に、前記第二形式のファイルを出力する旨の設定が含まれている場合に、前記読取処理を、一つの前記処理単位に対して実行し、当該読取処理によって読み取られた前記画像の画像データが当該画像と同数のファイルに一対一で格納された前記第二形式のファイルを出力する
画像読取装置。
【請求項３】
請求項１又は請求項２に記載の画像読取装置であって、
前記第一形式のファイルは、ＰＤＦ（Portable Document Format）形式のファイル、又はＴＩＦＦ（Tagged Image File Format）形式のファイルである
画像読取装置。
【請求項４】
少なくとも一つの読み取り対象物を含む一つの処理単位が供給位置にセットされた場合に、一つの前記処理単位に含まれる少なくとも一つの前記読み取り対象物を、所定の搬送経路に沿って前記供給位置から排出位置へと搬送可能に構成された搬送部と、読み取り対象物の画像を読み取り可能な読取部と、前記読取部によって読み取られた前記画像の画像データに関する処理を実行可能に構成された処理部とを備え、前記読取部は、前記搬送部によって搬送される前記読み取り対象物の画像を読み取り可能に構成される画像読取装置において、前記処理部として機能するコンピュータに、
前記読取部によって読み取られた前記画像の画像データが格納されたファイルを出力する際、単一ファイル中に複数の前記画像データを格納可能な第一形式のファイル、及び単一ファイル中に単一の前記画像データを格納可能な第二形式のファイルのうち、いずれのファイルを出力するのかを示す設定が含まれる情報を取得する情報取得処理と、
前記読み取り対象物が前記搬送部によって搬送される読み取り対象物か否かを判定する判定処理と、
前記判定処理において、前記読み取り対象物が前記搬送部によって搬送される読み取り対象物であると判定された場合、かつ前記情報取得処理によって取得された前記情報中に、前記第一形式のファイルを出力する旨の設定が含まれている場合に、少なくとも一つの読み取り対象物を含む処理単位を対象に当該処理単位に含まれる前記読み取り対象物の画像を前記読取部によって読み取る読取処理を、一つの前記処理単位に対して実行し、当該読取処理の実行後、当該読取処理を継続するか否かを利用者に対して問い合わせる問い合わせ処理を実行し、以降は、前記問い合わせ処理において継続する旨を示す操作が利用者によって行われるたびに、更に一つの前記処理単位に対する前記読取処理と前記問い合わせ処理とを実行し、前記問い合わせ処理において継続しない旨を示す操作が利用者によって行われた場合には、その時点までに実行された前記読取処理によって読み取られた前記画像の画像データ全てが単一のファイルに格納された前記第一形式のファイルを出力する第一出力処理と、
前記判定処理において、前記読み取り対象物が前記搬送部によって搬送される読み取り対象物であると判定された場合、かつ前記情報取得処理によって取得された前記情報中に、前記第二形式のファイルを出力する旨の設定が含まれている場合に、前記読取処理を、一つの前記処理単位に対して実行し、当該読取処理によって読み取られた前記画像の画像データが当該画像と同数のファイルに一対一で格納された前記第二形式のファイルを出力する第二出力処理と
を実行させるためのプログラム。
【請求項５】
少なくとも一つの読み取り対象物を含む一つの処理単位が供給位置にセットされた場合に、一つの前記処理単位に含まれる少なくとも一つの前記読み取り対象物を、所定の搬送経路に沿って前記供給位置から排出位置へと搬送可能に構成された搬送部と、読み取り対象物の画像を読み取り可能な読取部とを有し、前記読取部は、前記搬送部によって搬送される前記読み取り対象物の画像を読み取り可能に構成される画像読取装置と、前記読取部によって読み取られた前記画像の画像データを前記画像読取装置から取得し、当該画像データに関する処理を実行可能に構成された処理部を有する情報処理装置とを備える画像読取システムにおいて、前記処理部として機能するコンピュータに、
前記読取部によって読み取られた前記画像の画像データが格納されたファイルを出力する際、単一ファイル中に複数の前記画像データを格納可能な第一形式のファイル、及び単一ファイル中に単一の前記画像データを格納可能な第二形式のファイルのうち、いずれのファイルを出力するのかを示す設定が含まれる情報を取得する情報取得処理と、
前記読み取り対象物が前記搬送部によって搬送される読み取り対象物か否かを判定する判定処理と、
前記判定処理において、前記読み取り対象物が前記搬送部によって搬送される読み取り対象物であると判定された場合、かつ前記情報取得処理によって取得された前記情報中に、前記第一形式のファイルを出力する旨の設定が含まれている場合に、前記画像読取装置と協働して、少なくとも一つの読み取り対象物を含む処理単位を対象に当該処理単位に含まれる前記読み取り対象物の画像を前記読取部によって読み取る読取処理を、一つの前記処理単位に対して実行し、当該読取処理の実行後、当該読取処理を継続するか否かを利用者に対して問い合わせる問い合わせ処理を実行し、以降は、前記問い合わせ処理において継続する旨を示す操作が利用者によって行われるたびに、更に一つの前記処理単位に対する前記読取処理と前記問い合わせ処理とを実行し、前記問い合わせ処理において継続しない旨を示す操作が利用者によって行われた場合には、その時点までに実行された前記読取処理によって読み取られた前記画像の画像データ全てが単一のファイルに格納された前記第一形式のファイルを出力する第一出力処理と、
前記判定処理において、前記読み取り対象物が前記搬送部によって搬送される読み取り対象物であると判定された場合、かつ前記情報取得処理によって取得された前記情報中に、前記第二形式のファイルを出力する旨の設定が含まれている場合に、前記画像読取装置と協働して、前記読取処理を、一つの前記処理単位に対して実行し、当該読取処理によって読み取られた前記画像の画像データが当該画像と同数のファイルに一対一で格納された前記第二形式のファイルを出力する第二出力処理と
を実行させるためのプログラム。
【請求項６】
請求項４又は請求項５に記載のプログラムであって、
前記第一形式のファイルは、ＰＤＦ（Portable Document Format）形式のファイル、又はＴＩＦＦ（Tagged Image File Format）形式のファイルである
プログラム。
【発明の詳細な説明】
【技術分野】
【０００１】
本発明は、画像読取装置、及びプログラムに関する。
【背景技術】
【０００２】
画像読取装置において複数ページのシートから各ページの画像を読み取り、それら複数の画像の画像データが格納された単一のマルチページファイルを出力可能に構成されたシステムが知られている（例えば、特許文献１参照。）。
【０００３】
上記特許文献１に記載の画像読取装置の場合、画像読取装置において最初のスキャンキー操作が行われると、その操作に対応する読取処理が完了した際、ＰＣ（Personal Computer）において完了確認画面を表示し、所定時間が経過するまで待機する。この待機期間中に、画像読取装置において次のスキャンキー操作が行われると、連続スキャンモードに移行する。以降は、直前のスキャンキー操作から上記所定時間が経過するまでの待機期間中に、画像読取装置において次のスキャンキー操作が行われるたびに、連続スキャンモードを継続する。連続スキャンモードにおいて読み取られた複数の画像の画像データは、単一のマルチページファイルに格納される。
【０００４】
なお、直前のスキャンキー操作から上記所定時間が経過するまでの待機期間中に、画像読取装置において次のスキャンキー操作が行われなければ、連続スキャンモードを終了する。また、上記完了確認画面が表示されたＰＣにおいて、連続スキャンモードの終了をＰＣに対して指令するための所定の利用者操作が行われれば、連続スキャンモードを終了する。
【先行技術文献】
【特許文献】
【０００５】
【特許文献１】特開２０１０−２５９０６１号公報
【発明の概要】
【発明が解決しようとする課題】
【０００６】
ところで、上述のようなシステムでは、マルチページに対応したファイル形式（以下、本明細書では第一形式とも称する。）の他、マルチページに対応していないファイル形式（以下、本明細書では第二形式とも称する。）でも、ファイルを出力可能に構成されることがある。第二形式でファイルを出力する場合、複数ページのシートから読み取られた画像の画像データは、ページ数と同数のファイルそれぞれに一つずつ格納される。
【０００７】
しかしながら、そのようなシステムにおいて、上記特許文献１に記載の処理をそのまま採用すると、第二形式のファイルを出力する場合であっても、上述のようなスキャンキー操作が行われた際には、連続スキャンモードへ移行し、完了確認画面が表示される。その際、上述の待機期間中に次のスキャンキー操作を行うことで連続スキャンモードを継続したとしても、シートのページ数と同数のファイルが出力される。また、上述の待機期間中に次のスキャンキー操作を行わないか、連続スキャンモードの終了をＰＣに対して指令したとしても、シートのページ数と同数のファイルが出力される。
【０００８】
つまり、第二形式のファイルを出力する場合、連続スキャンモードを継続しても終了しても、シートのページ数と同数のファイルが出力されるという結果には違いがない。しかし、それにもかかわらず完了確認画面による問い合わせは行われるので、利用者にとっては煩わしい、という問題がある。
【０００９】
以上のような事情から、出力するファイルのファイル形式に応じて適切な処理を実行可能な画像読取装置、及びプログラムを提供することが望ましい。
【課題を解決するための手段】
【００１０】
以下に説明する画像読取装置は、読み取り対象物の画像を読み取り可能な読取部と、読取部によって読み取られた画像の画像データに関する処理を実行可能に構成された処理部とを備え、処理部は、読取部によって読み取られた画像の画像データが格納されたファイルを出力する際、単一ファイル中に複数の画像データを格納可能な第一形式のファイル、及び単一ファイル中に単一の画像データを格納可能な第二形式のファイルのうち、いずれのファイルを出力するのかを示す設定が含まれる情報を取得する情報取得処理と、情報取得処理によって取得された情報中に、第一形式のファイルを出力する旨の設定が含まれている場合に、少なくとも一つの読み取り対象物を含む処理単位を対象に当該処理単位に含まれる読み取り対象物の画像を読取部によって読み取る読取処理を、一つの処理単位に対して実行し、当該読取処理の実行後、当該読取処理を継続するか否かを利用者に対して問い合わせる問い合わせ処理を実行し、以降は、問い合わせ処理において継続する旨を示す操作が利用者によって行われるたびに、更に一つの処理単位に対する読取処理と問い合わせ処理とを実行し、問い合わせ処理において継続しない旨を示す操作が利用者によって行われた場合には、その時点までに実行された読取処理によって読み取られた画像の画像データ全てが単一のファイルに格納された第一形式のファイルを出力する第一出力処理と、情報取得処理によって取得された情報中に、第二形式のファイルを出力する旨の設定が含まれている場合に、読取処理を、一つの処理単位に対して実行し、当該読取処理によって読み取られた画像の画像データが当該画像と同数のファイルに一対一で格納された第二形式のファイルを出力する第二出力処理とを実行可能に構成されている。
【００１１】
このように構成された画像読取装置によれば、情報取得処理によって取得された情報中に、第一形式のファイルを出力する旨の設定が含まれている場合、一つの処理単位に対する読取処理はもちろんのこと、問い合わせ処理において継続する旨を示す操作が行われれば、画像読取装置は、複数の処理単位に対する読取処理を繰り返し実行する。そして、そのような読取処理によって得られる少なくとも一つの画像の画像データ全てを第一形式のファイルに格納することで、単一のファイルとして出力することができる。
【００１２】
一方、情報取得処理によって取得された情報中に、第二形式のファイルを出力する旨の設定が含まれている場合、画像読取装置は、一つの処理単位に対する読取処理を実行する。そして、上述のような問い合わせ処理を実施することなく、読取処理によって得られる少なくとも一つの画像の画像データを画像と一対一で対応する第二形式のファイルに格納することで、画像と同数のファイルとして出力することができる。したがって、第一形式のファイルを出力する場合とは異なり、利用者は問い合わせ処理に対する操作を実施しなくても済み、第二形式のファイルを出力する際の操作性を、第一形式のファイルを出力する場合よりも向上させることができる。
【００１３】
また、以下に説明するプログラムは、読み取り対象物の画像を読み取り可能な読取部と、読取部によって読み取られた画像の画像データに関する処理を実行可能に構成された処理部とを備える画像読取装置において、処理部として機能するコンピュータに、読取部によって読み取られた画像の画像データが格納されたファイルを出力する際、単一ファイル中に複数の画像データを格納可能な第一形式のファイル、及び単一ファイル中に単一の画像データを格納可能な第二形式のファイルのうち、いずれのファイルを出力するのかを示す設定が含まれる情報を取得する情報取得処理と、情報取得処理によって取得された情報中に、第一形式のファイルを出力する旨の設定が含まれている場合に、少なくとも一つの読み取り対象物を含む処理単位を対象に当該処理単位に含まれる読み取り対象物の画像を
読取部によって読み取る読取処理を、一つの処理単位に対して実行し、当該読取処理の実行後、当該読取処理を継続するか否かを利用者に対して問い合わせる問い合わせ処理を実行し、以降は、問い合わせ処理において継続する旨を示す操作が利用者によって行われるたびに、更に一つの処理単位に対する読取処理と問い合わせ処理とを実行し、問い合わせ処理において継続しない旨を示す操作が利用者によって行われた場合には、その時点までに実行された読取処理によって読み取られた画像の画像データ全てが単一のファイルに格納された第一形式のファイルを出力する第一出力処理と、情報取得処理によって取得された情報中に、第二形式のファイルを出力する旨の設定が含まれている場合に、読取処理を、一つの処理単位に対して実行し、当該読取処理によって読み取られた画像の画像データが当該画像と同数のファイルに一対一で格納された第二形式のファイルを出力する第二出力処理とを実行させるためのプログラムである。
【００１４】
このように構成されたプログラムによれば、上述のような読取部、及び処理部を備える画像読取装置において、処理部として機能するコンピュータに、上述の情報取得処理、第一出力処理、及び第二出力処理を実行させることができる。したがって、上述の画像読取装置について述べた通りの作用、効果を奏する。
【００１５】
さらに、以下に説明するプログラムは、読み取り対象物の画像を読み取り可能な読取部を有する画像読取装置と、読取部によって読み取られた画像の画像データを画像読取装置から取得し、当該画像データに関する処理を実行可能に構成された処理部を有する情報処理装置とを備える画像読取システムにおいて、処理部として機能するコンピュータに、読取部によって読み取られた画像の画像データが格納されたファイルを出力する際、単一ファイル中に複数の画像データを格納可能な第一形式のファイル、及び単一ファイル中に単一の画像データを格納可能な第二形式のファイルのうち、いずれのファイルを出力するのかを示す設定が含まれる情報を取得する情報取得処理と、情報取得処理によって取得された情報中に、第一形式のファイルを出力する旨の設定が含まれている場合に、画像読取装置と協働して、少なくとも一つの読み取り対象物を含む処理単位を対象に当該処理単位に含まれる読み取り対象物の画像を読取部によって読み取る読取処理を、一つの処理単位に対して実行し、当該読取処理の実行後、当該読取処理を継続するか否かを利用者に対して問い合わせる問い合わせ処理を実行し、以降は、問い合わせ処理において継続する旨を示す操作が利用者によって行われるたびに、更に一つの処理単位に対する読取処理と問い合わせ処理とを実行し、問い合わせ処理において継続しない旨を示す操作が利用者によって行われた場合には、その時点までに実行された読取処理によって読み取られた画像の画像データ全てが単一のファイルに格納された第一形式のファイルを出力する第一出力処理と、情報取得処理によって取得された情報中に、第二形式のファイルを出力する旨の設定が含まれている場合に、画像読取装置と協働して、読取処理を、一つの処理単位に対して実行し、当該読取処理によって読み取られた画像の画像データが当該画像と同数のファイルに一対一で格納された第二形式のファイルを出力する第二出力処理とを実行させるためのプログラムである。
【００１６】
このように構成されたプログラムによれば、上述のような読取部を有する画像読取装置と、上述のような処理部を有する情報処理装置とを備える画像読取システムにおいて、処理部として機能するコンピュータに、上述の情報取得処理、第一出力処理、及び第二出力処理を実行させることができる。したがって、上述の画像読取装置について述べた通りの作用、効果を奏する。
【図面の簡単な説明】
【００１７】
【図１】図１は複合機の構成を示すブロック図である。
【図２】図２は複合機において実行される読取処理のフローチャートである。
【図３】図３連続スキャンを続行するか否かを問い合わせる画面の説明図である。
【図４】図４は画像読取システムの構成を示すブロック図である。
【図５】図５はＰＣにおいて実行される読取処理のフローチャートである。
【図６】図６（Ａ）はＰＣにおいて実行されるＡＤＦ読取処理のフローチャートである。図６（Ｂ）はＰＣにおいて実行される１頁（ＦＢ）読取処理のフローチャートである。
【図７】図７は画像読取装置において実行される読取処理のフローチャートである。
【発明を実施するための形態】
【００１８】
次に、上述の画像読取装置、及びプログラムについて、例示的な実施形態を挙げて説明する。
（１）第一実施形態
［複合機の構成］
図１に示す複合機１は、本明細書でいう画像読取装置の一例に相当する構成を備えるものである。複合機１は、図１に示すように、本体ユニット２と、読取ユニット３とを備える。読取ユニット３は、ＦＢ（Flat Bed；フラットベッド）部５と、ＡＤＦ（Automatic Document Feeder；自動原稿送り装置）部６とを備える。
【００１９】
本体ユニット２には、制御部１１（本明細書でいう処理部の一例に相当。）が設けられている。制御部１１は、周知のＣＰＵ１１Ａ、ＲＯＭ１１Ｂ、ＲＡＭ１１Ｃ、ＮＶＲＡＭ１１Ｄ、及びインターフェース部１１Ｅなどを備える。ＣＰＵ１１Ａは、ＲＯＭ１１ＢやＲＡＭ１１Ｃに記憶された制御プログラムに従って所定の処理を実行し、これにより、複合機１の各部に対する制御が実行される。
【００２０】
制御部１１による制御対象としては、画像形成部１２、ＬＡＮ通信部１３、操作パネル１４、イメージセンサ１５（本明細書でいう読取部の一例に相当。）、モータ１７、モータ１８、及びシート検知センサ１９などが設けられている。これらのうち、画像形成部１２、ＬＡＮ通信部１３、及び操作パネル１４は、本体ユニット２に設けられている。イメージセンサ１５、及びモータ１７は、ＦＢ部５に設けられている。モータ１８、及びシート検知センサ１９は、ＡＤＦ部６に設けられている。
【００２１】
画像形成部１２は、被記録媒体に対してインクジェット方式で画像を形成可能に構成されている。より詳しくは、画像形成部１２は、被記録媒体を搬送するための搬送機構、インクを噴射する記録ヘッド、及び記録ヘッドを往復移動させるための駆動機構等を備える。ただし、これらは周知の構成なので、これ以上の説明、及び図示を省略する。なお、画像形成部１２は、電子写真方式で被記録媒体に画像を形成可能に構成されていてもよい。
【００２２】
ＬＡＮ通信部１３は、無線ＬＡＮに対応した通信インターフェース装置、及び有線ＬＡＮに対応した通信インターフェース装置によって構成されている。操作パネル１４は、利用者が複合機１に対して各種指令を与える際に操作する入力装置（例えば、タッチパネル、各種ボタン類、及びスイッチ類。）と、複合機１の動作状態などを利用者に通知するための出力装置（例えば、液晶ディスプレイ装置、及び各種ランプ類。）を有する。
【００２３】
イメージセンサ１５は、本実施形態の場合、密着イメージセンサ（ＣＩＳ；Contact Image Sensor）である。イメージセンサ１５は、一方向に配列された複数の読取素子を有し、それら複数の読取素子配列方向を主走査方向として、主走査方向に直交する方向である副走査方向へ往復移動可能に構成されている。モータ１７は、イメージセンサ１５を副走査方向へ往復移動させるための動力源である。モータ１８は、ＡＤＦ部６においてシートを搬送するための動力源である。シート検知センサ１９は、ＡＤＦ部６において搬送されるシートの搬送方向先端や搬送方向後端が、所定の検出位置を通過したことを検出するセンサである。
【００２４】
［読取処理］
次に、複合機１において実行される読取処理について、図２のフローチャートに基づいて説明する。この読取処理は、複合機１に対して読取処理の開始を指令するための所定の操作が操作パネル１４において行われた場合に、制御部１１によって実行される。あるいは、複合機１と通信可能な外部機器（例えば、ＰＣ。）から複合機１へ読取処理の開始を指令するための信号が送信されてきた場合に、制御部１１によって実行される。
【００２５】
読取処理を開始すると、制御部１１は、まず、読取条件・出力フォーマットの設定を取得する（Ｓ１０）。読取条件・出力フォーマットは、複数の項目（例えば、読取解像度、カラー／白黒設定、画質設定、ファイル形式、出力先等。）それぞれについて、あらかじめ用意された複数の条件や設定値の中からいずれか一つを選んで設定するか、利用者が任意に入力可能な設定値を設定することができる。
【００２６】
これらの設定値は、あらかじめ想定された目的に応じて好適に組み合わせられたものが、メモリ（例えばＲＯＭ１１Ｂ。）に複数通り記憶され、そのうちの一つがデフォルトの設定値として設定されている。利用者は、そのデフォルトの設定値をそのまま利用してもよいし、上述の目的に応じた設定を選択してもよいし、上述の複数の項目それぞれを個別に変更してもよい。
【００２７】
このような設定値の選択や変更は、利用者が操作パネル１４での操作又は外部機器での操作によって実施することができる。変更後の設定はメモリ（例えばＲＡＭ１１Ｃ、ＮＶＲＡＭ１１Ｄ。）に記憶される。Ｓ１０では、上述のような設定値をメモリ（例えばＲＡＭ１１Ｃ、ＮＶＲＡＭ１１Ｄ。）から読み出すことによって取得し、取得された設定値に従って複合機１の作動時に必要な各部の初期化が実行される。
【００２８】
続いて、制御部１１は、ＡＤＦ読取か否かを判定する（Ｓ１５）。Ｓ１５において、ＡＤＦ読取か否かは、ＡＤＦ部６にシートがセットされているか否かによって判断する。ＡＤＦ部６にシートがセットされていることは、シート検知センサ１９によって検出する。
【００２９】
Ｓ１５においてＡＤＦ読取であると判断された場合（Ｓ１５：ＹＥＳ）、制御部１１は、ＡＤＦ読取を実行する（Ｓ２０）。Ｓ２０において、制御部１１は、モータ１８を駆動することによってＡＤＦ部６を作動させ、ＡＤＦ部６にセットされたシートを搬送経路に沿って搬送する。また、その搬送途中でシートをプラテンガラスに接触させつつ搬送し、プラテンガラスを挟んでシートとは反対側に位置するイメージセンサ１５により、シートの画像を読み取る。このようなＡＤＦ部６を利用した読取処理そのものは公知の技術なので、これ以上の説明については省略する。
【００３０】
Ｓ２０においては、イメージセンサ１５で読み取った画像の画像データを、Ｓ１０で取得した設定値に従ったファイル形式で出力する。例えば、ＰＤＦファイル（第一形式の一例に相当。）を出力する設定になっていればＰＤＦファイルを出力する。ＴＩＦＦファイル（第一形式の一例に相当。）を出力する設定になっていればＴＩＦＦファイルを出力する。ＪＰＥＧファイル（第二形式の一例に相当。）を出力する設定になっていればＪＰＥＧファイルを出力する。
【００３１】
ただし、Ｓ２０の実行時点では、必ずしも最終的な出力形態になっていなくてもよい。例えば、イメージセンサ１５で読み取った画像の画像データを、事後処理をする上で好適な形式のテンポラリーファイルに出力し、図２に示す処理の終了直前にテンポラリーファイルに基づいて最終的なファイルを生成してもよい。あるいは、Ｓ２０の実行時点においては、出力フォーマットの設定に従って上述のＰＤＦファイル、ＴＩＦＦファイル、ある
いはＪＰＥＧファイル等を出力するところまで実行し、図２に示す処理の終了直前に、出力先の設定に従って上記各ファイルを添付ファイル化したメール形式に変換するなど、複数段階の処理によって最終的なファイルを生成してもよい。
【００３２】
続いて、制御部１１は、出力するファイルのファイル形式として、マルチページフォーマットに対応したファイル形式（本明細書でいう第一形式、本実施形態の場合はＰＤＦファイル又はＴＩＦＦファイル。）が設定されているか否かを判断する（Ｓ２５）。
【００３３】
Ｓ２５において、マルチページフォーマットに対応したファイル形式が設定されていない場合（Ｓ２５：ＮＯ）、本実施形態においては、マルチページフォーマットに対応していないファイル形式（本明細書でいう第二形式。）が設定されていることになる。この場合は、図２に示す読取処理を終了する。この場合、Ｓ２０では、少なくとも一枚のシートの画像が読み取られ、読み取られたシートの枚数と同数の画像データが一つずつ第二形式でファイル化（例えば、ＪＰＥＧファイル化。）されることで、読み取られたシートの枚数と同数のファイルが出力されることになる。
【００３４】
一方、Ｓ２５において、マルチページフォーマットに対応したファイル形式が設定されている場合（Ｓ２５：ＹＥＳ）、制御部１１は、読取処理の継続又は終了の選択を求めるダイアログを操作パネル１４に表示して入力待ちになる（Ｓ３０）。このとき、操作パネル１４においては、図３に示すように、液晶ディスプレイ１４Ａにダイアログ２１が表示される。ここで、ダイアログ２１内にあるボタン２２，２３のいずれかを利用者がタッチ操作した場合には、Ｓ３５へと進む。
【００３５】
利用者がタッチ操作したことは、液晶ディスプレイ１４Ａに重ねて配置された透明なタッチパネルによって検出される。制御部１１は、ボタン２２，２３のいずれに対してタッチ操作がなされたのかを、タッチパネルで検出した座標情報に基づいて判断することができる。なお、利用者がタッチ操作した場合、液晶ディスプレイ１４Ａに表示されたダイアログ２１は一旦画面上から消去される。
【００３６】
続いて、制御部１１は、読取処理を継続するか否かを判断する（Ｓ３５）。Ｓ３５では、Ｓ３０において検出したタッチ操作がボタン２２に対するタッチ操作であった場合に、読取処理を継続すると判断する（Ｓ３５：ＹＥＳ）。この場合、制御部１１は、ＡＤＦ読取を実行する（Ｓ４０）。Ｓ４０は、上述のＳ２０とほぼ同等な処理である。ただし、Ｓ２０ではファイルを新規で生成するのに対し、Ｓ４０ではＳ２０で生成したファイルに対し新たな画像データを付加する処理が実行される。なお、Ｓ２０の実行時点で、画像データをテンポラリーファイルに出力しておく場合は、Ｓ４０の実行時点でも、画像データをテンポラリーファイルに出力し、図２に示す処理の終了直前にテンポラリーファイルに基づいて最終的なファイルを生成すればよい。
【００３７】
Ｓ４０を終えた場合は、Ｓ３０へと戻る。これにより、Ｓ３０以降の処理を繰り返す。したがって、そのような繰り返し処理において、ボタン２２に対するタッチ操作が繰り返されれば、Ｓ４０において読み取られる画像の画像データが、マルチページ形式のファイルに順次追加されることになる。
【００３８】
一方、Ｓ３５では、Ｓ３０において検出したタッチ操作がボタン２３に対するタッチ操作であった場合に、読取処理を終了すると判断する（Ｓ３５：ＮＯ）。この場合、制御部１１は、図２に示す読取処理を終了する。この場合、Ｓ２０、もしくは、Ｓ２０及びＳ４０では、少なくとも一枚のシートの画像が読み取られ、読み取られたシートの枚数と同数の画像データ全てが第一形式で単一のファイル（例えば、マルチページのＰＤＦファイル、又はマルチページのＴＩＦＦファイル。）に格納されて、単一のファイルが出力される
ことになる。
【００３９】
さて、上述のＳ１５においては、ＡＤＦ読取ではないと判断されることもある（Ｓ１５：ＮＯ）。この場合、制御部１１は、１頁（ＦＢ）読取を実行する（Ｓ４５）。Ｓ４５において、制御部１１は、モータ１７を駆動することによってイメージセンサ１５を副走査方向へ往復移動させ作動させる。その際、往動時には、プラテンガラスを挟んでシートとは反対側を移動するイメージセンサ１５により、シートの画像を読み取る。このようなＦＢ部５を利用した読取処理そのものは公知の技術なので、これ以上の説明については省略する。
【００４０】
Ｓ４５においては、イメージセンサ１５で読み取った画像の画像データを、Ｓ１０で取得したファイル形式（例えば、ＰＤＦファイルやＴＩＦＦファイルのような第一形式、又はＪＰＥＧファイルのような第二形式。）で出力する。ただし、Ｓ４５の実行時点では、Ｓ２０と同様に、画像データをテンポラリーファイルに出力し、図２に示す処理の終了直前にテンポラリーファイルに基づいて最終的なファイルを生成してもよい。
【００４１】
続いて、制御部１１は、出力するファイルのファイル形式として、マルチページフォーマットに対応したファイル形式（本実施形態の場合はＰＤＦファイル又はＴＩＦＦファイル。）が設定されているか否かを判断する（Ｓ５０）。Ｓ５０において、マルチページフォーマットに対応したファイル形式が設定されていない場合（Ｓ５０：ＮＯ）、図２に示す読取処理を終了する。この場合は、Ｓ５０において、一枚のシートの画像が読み取られ、その画像の画像データ一つがファイル化されることで、一つのファイルが出力されることになる。
【００４２】
一方、Ｓ５０において、マルチページフォーマットに対応したファイル形式が設定されている場合（Ｓ５０：ＹＥＳ）、制御部１１は、読取処理の継続又は終了の選択を求めるダイアログを操作パネル１４に表示して入力待ちになる（Ｓ５５）。Ｓ５５では、Ｓ３０とほぼ同様の処理が実行されるので、これ以上の説明は省略する。
【００４３】
続いて、制御部１１は、読取処理を継続するか否かを判断する（Ｓ６０）。Ｓ６０では、Ｓ５５において検出したタッチ操作がボタン２２に対するタッチ操作であった場合に、読取処理を継続すると判断する（Ｓ６０：ＹＥＳ）。この場合、制御部１１は、１頁（ＦＢ）読取を実行する（Ｓ６５）。Ｓ６５は、上述のＳ４５とほぼ同等な処理である。ただし、Ｓ４５ではファイルを新規に生成しているのに対し、Ｓ６５ではＳ４５で生成したファイルに対し新たな画像データを付加する処理が実行される。なお、Ｓ４５の実行時点で、画像データをテンポラリーファイルに出力しておく場合は、Ｓ６５の実行時点でも、画像データをテンポラリーファイルに出力しき、図２に示す処理の終了直前にテンポラリーファイルに基づいて最終的なファイルを生成すればよい。
【００４４】
Ｓ６５を終えた場合は、Ｓ５５へと戻る。これにより、Ｓ５５以降の処理を繰り返す。したがって、そのような繰り返し処理において、ボタン２２に対するタッチ操作が繰り返されれば、Ｓ６５において読み取られる画像の画像データが、マルチページ形式のファイルに順次追加されることになる。
【００４５】
一方、Ｓ６０では、Ｓ５５において検出したタッチ操作がボタン２３に対するタッチ操作であった場合に、読取処理を終了すると判断する（Ｓ６０：ＮＯ）。この場合、制御部１１は、図２に示す読取処理を終了する。この場合、Ｓ４５において、もしくは、Ｓ４５及びＳ６５において、少なくとも一枚のシートの画像が読み取られ、読み取られたシートの枚数と同数の画像データ全てが単一のファイルに格納されて、単一のファイルが出力されることになる。
【００４６】
［効果］
以上のように構成された複合機１によれば、Ｓ１０の情報取得処理によって取得された情報中に、第一形式のファイル（例えばＰＤＦファイル又はＴＩＦＦファイル）を出力する旨の設定が含まれている場合、まずは、Ｓ２０又はＳ４５で読み取られる一つの処理単位（ＡＤＦ部６にセットされた少なくとも一枚のシート、又はＦＢ部５に載置された一枚のシート。）に対する読取処理を実行する。そして、Ｓ３０又はＳ５５の問い合わせ処理において継続する旨を示す操作が行われれば、複合機１は、Ｓ３０−Ｓ４０又はＳ５５−Ｓ６５によって二つめ以降の処理単位に対する読取処理を繰り返し実行する。その際、Ｓ２０及びＳ４０、もしくはＳ４５及びＳ６５では、読取処理によって得られる少なくとも一つの画像の画像データ全てを第一形式のファイル（例えばＰＤＦファイル又はＴＩＦＦファイル）に格納することで、単一のファイルとして出力することができる。
【００４７】
一方、Ｓ１０の情報取得処理によって取得された情報中に、第二形式のファイル（例えばＪＰＥＧファイル。）を出力する旨の設定が含まれている場合、複合機１は、Ｓ２０又はＳ４５で読み取られる一つの処理単位に対する読取処理を実行する。そして、上述のような問い合わせ処理（Ｓ３０又はＳ５５）を実施することなく、読取処理によって得られる少なくとも一つの画像の画像データを画像と一対一で対応する第二形式のファイル（例えばＪＰＥＧファイル。）に格納することで、画像と同数のファイルとして出力することができる。したがって、第一形式のファイルを出力する場合とは異なり、利用者は問い合わせ処理に対する操作を実施しなくても済み、第二形式のファイルを出力する際の操作性を、第一形式のファイルを出力する場合よりも向上させることができる。
【００４８】
（２）第二実施形態
次に、第二実施形態について説明する。なお、第二実施形態においては、第一実施形態と同等な構成に対し、第一実施形態と同じ符号を付す。
【００４９】
［画像読取システムの構成］
図４に示すように、第二実施形態において例示する画像読取システムは、ＰＣ（Personal Computer）１Ａと画像読取装置１Ｂとが協働することにより、第一実施形態として例示した複合機１と同等な機能を実現するように構成されたシステムである。
【００５０】
ＰＣ１Ａは、制御部１１Ａ、ＬＡＮ通信部１３Ａ、入力部１４１、及び表示部１４２などを備える。これらのうち、制御部１１Ａは、第一実施形態の制御部１１に対応する構成である。なお、図４においては図示を省略してあるが、制御部１１Ａが、周知のＣＰＵ、ＲＯＭ、ＲＡＭ、ＮＶＲＡＭ、及びインターフェース部などを備えている点も、第一実施形態の制御部１１と同様である。
【００５１】
ＬＡＮ通信部１３Ａは、ハードウェアとしては第一実施形態のＬＡＮ通信部１３に対応する構成である。本実施形態の場合、ＬＡＮ通信部１３Ａは、画像読取装置１Ｂとの通信を行うために利用されている。入力部１４１、及び表示部１４２は、第一実施形態の操作パネル１４と同等な役割を担う部分である。
【００５２】
画像読取装置１Ｂは、ＦＢ部５、及びＡＤＦ部６を有する。ＦＢ部５には、制御部１１Ｂ、ＬＡＮ通信部１３Ｂ、操作パネル１４、イメージセンサ１５、及びモータ１７等が設けられている。ＡＤＦ部６には、モータ１８、及びシート検知センサ１９が設けられている。
【００５３】
これらのうち、制御部１１Ｂは、制御部１１Ａと同様に、第一実施形態の制御部１１に対応する構成である。より詳しくは、第二実施形態では、第一実施形態の制御部１１が実
行していた処理のうち、一部の処理を制御部１１Ａが実行し、別の一部の処理を制御部１１Ｂが実行することで、制御部１１Ａ、及び制御部１１Ｂが協働して第一実施形態と同等な読取処理を実行する。なお、図４においては図示を省略してあるが、制御部１１Ｂが、周知のＣＰＵ、ＲＯＭ、ＲＡＭ、ＮＶＲＡＭ、及びインターフェース部などを備えている点も、第一実施形態の制御部１１と同様である。
【００５４】
ＬＡＮ通信部１３Ｂは、ハードウェアとしては第一実施形態のＬＡＮ通信部１３に対応する構成である。本実施形態の場合、ＬＡＮ通信部１３Ｂは、ＰＣ１Ａとの通信を行うために利用されている。操作パネル１４、イメージセンサ１５、モータ１７、モータ１８、及びシート検知センサ１９は、それぞれ第一実施形態で説明した各構成と同等なものである。
【００５５】
［読取処理］
次に、ＰＣ１Ａ及び画像読取装置１Ｂにおいて実行される読取処理について、図５、図６（Ａ）、図６（Ｂ）、及び図７のフローチャートに基づいて説明する。この読取処理は、システムに対して読取処理の開始を指令するための所定の操作が入力部１４１において行われた場合に実行される。あるいは、読取処理の開始を指令する操作は、操作パネル１４において行われてもよい。
【００５６】
図５に示す読取処理は、ＰＣ１Ａにおいて実行される処理である。図２及び図５を見れば明らかなように、図５に示す読取処理は、図２に示す読取処理とほぼ同様な手順で構成されている。ただし、図２に示す読取処理の場合は、制御部１１がイメージセンサ１５やモータ１７，１８等を直接制御できたのに対し、図５に示す読取処理の場合、ＰＣ１Ａの制御部１１Ａは、画像読取装置１Ｂの構成を直接的に制御することができない。そのため、図２に示す読取処理中にあるＳ２０，Ｓ４０，Ｓ４５，及びＳ６５に対応する処理ステップについては、図５に示す読取処理の場合、画像読取装置１Ｂに対して指令を発行する制御（Ｓ２１，Ｓ４１，Ｓ４６，及びＳ６６）に置き換えられている。
【００５７】
以下の説明においては、上記相違点となる処理について詳細に説明する。
第一実施形態と同様のＳ１０−Ｓ１５が実行された後、Ｓ１５において、ＡＤＦ読取であると判断された場合（Ｓ１５：ＹＥＳ）、制御部１１Ａは、ＡＤＦ読取処理を実行する（Ｓ２１）。Ｓ２１の詳細を図６（Ａ）に示す。図６（Ａ）に示すＡＤＦ読取処理を開始すると、制御部１１Ａは、画像読取装置１Ｂに対し、ＡＤＦ読取指令を送信する（Ｓ１００）。
【００５８】
一方、画像読取装置１Ｂにおいては、制御部１１Ｂが図７に示す常駐処理を実行している。この常駐処理は、画像読取装置１Ｂが起動したときに開始され、その後は常に実行されている処理である。この常駐処理において、制御部１１Ｂは、何らかのイベントが発生するまでは（Ｓ２００：ＮＯ）、Ｓ２００へと戻ることにより、イベントの発生を監視する。
【００５９】
この状態において、画像読取装置１ＢがＰＣ１ＡからＡＤＦ読取指令を受信すると、Ｓ２００において何らかのイベントが発生したと判断される（Ｓ２００：ＹＥＳ）。この場合、制御部１１Ｂは、そのイベントがＡＤＦ読取指令か否かを判断する（Ｓ２１０）。Ｓ２１０においてＡＤＦ読取指令であった場合（Ｓ２１０：ＹＥＳ）、制御部１１Ｂは、ＡＤＦ読取を実行し、読み取った画像の画像データをＰＣ１Ａに対して送信する（Ｓ２１５）。
【００６０】
Ｓ２１５は、第一実施形態におけるＳ２０又はＳ４０と類似の処理である。Ｓ２０又はＳ４０と相違する点は、Ｓ２０又はＳ４０ではファイル（又はテンポラリーファイル）の
生成ないしファイルへのデータ追加を行っていたのに対し、Ｓ２１５ではＰＣ１Ａに対するデータ送信を行っている点である。Ｓ２１５を終えた場合は、Ｓ２００へと戻ることにより、制御部１１Ｂは、再びイベントの発生を監視する。
【００６１】
以上のような常駐処理が画像読取装置１Ｂにおいて実行されているため、ＰＣ１Ａにおいて図６（Ａ）に示すＳ１００を実行すると、ＡＤＦ読取指令を受けた画像読取装置１Ｂからは、ＰＣ１Ａに対して画像データが伝送される。そこで、制御部１１Ａは、ＰＣ１Ａからのデータ受信を開始するまで待機し、ＰＣ１Ａが画像データを送信したら、その画像データを受信して（Ｓ１０５）、図６（Ａ）に示す処理を終了する。
【００６２】
図６（Ａ）に示す処理を終了すると、図５に示すＳ２１を終えたことになるので、以降は第一実施形態と同様にＳ２５以降の処理ステップを実行する。なお、Ｓ２５以降の処理ステップを実行する際、Ｓ４１では再び図６（Ａ）に示す処理を実行することになる。その場合は、上述の通り、画像読取装置１Ｂでは図７に示す処理も実行され、ＰＣ１Ａは画像読取装置１Ｂから画像データを取得する。
【００６３】
さて、Ｓ１５において、ＡＤＦ読取ではないと判断された場合（Ｓ１５：ＮＯ）、制御部１１Ａは、１頁（ＦＢ）読取処理を実行する（Ｓ４６）。Ｓ４６の詳細を図６（Ｂ）に示す。図６（Ｂ）に示す１頁（ＦＢ）読取処理を開始すると、制御部１１Ａは、画像読取装置１Ｂに対し、１頁（ＦＢ）読取指令を送信する（Ｓ１１０）。
【００６４】
一方、画像読取装置１Ｂにおいては、既に説明した通り、制御部１１Ｂが図７に示す常駐処理を実行している。この常駐処理が画像読取装置１Ｂにおいて実行されている場合、１頁（ＦＢ）読取指令を受信すると、Ｓ２００において何らかのイベントが発生したと判断される（Ｓ２００：ＹＥＳ）。この場合、制御部１１Ｂは、そのイベントがＡＤＦ読取指令か否かを判断する（Ｓ２１０）。上記Ｓ１１０で１頁（ＦＢ）読取指令が送信された場合、Ｓ２１０ではＡＤＦ読取指令ではないと判断されるので（Ｓ２１０：ＮＯ）、続いて、制御部１１Ｂは、１頁（ＦＢ）読取指令か否かを判断する（Ｓ２２０）。
【００６５】
上記Ｓ１１０で１頁（ＦＢ）読取指令が送信された場合、Ｓ２２０においては１頁（ＦＢ）読取指令であると判断されるので（Ｓ２２０：ＹＥＳ）、その場合、制御部１１Ｂは、１頁（ＦＢ）読取を実行し、読み取った画像の画像データをＰＣ１Ａに対して送信する（Ｓ２２０）。
【００６６】
Ｓ２２０は、第一実施形態におけるＳ４５又はＳ６５と類似の処理である。Ｓ４５又はＳ６５と相違する点は、Ｓ４５又はＳ６５ではファイル（又はテンポラリーファイル）の生成ないしファイルへのデータ追加を行っていたのに対し、Ｓ２２０ではＰＣ１Ａに対するデータ送信を行っている点である。Ｓ２２０を終えた場合は、Ｓ２００へと戻ることにより、制御部１１Ｂは、再びイベントの発生を監視する。
【００６７】
なお、Ｓ２２０において１頁（ＦＢ）読取指令ではないと判断された場合（Ｓ２２０：ＮＯ）、制御部１１Ｂは、他の処理を実行し（Ｓ２３０）、他の処理を終えたらＳ２００へと戻る。Ｓ２３０の他の処理は、上記Ｓ２１０又はＳ２２０で肯定判断されるイベントとは別のイベントが発生した場合に対応する処理であるが、本明細書で説明する技術とは関連性が低いので、これ以上の説明は省略する。
【００６８】
以上のような常駐処理が画像読取装置１Ｂにおいて実行されているため、ＰＣ１Ａにおいて図６（Ｂ）に示すＳ１１０を実行すると、１頁（ＦＢ）読取指令を受けた画像読取装置１Ｂからは、ＰＣ１Ａに対して画像データが伝送される。そこで、制御部１１Ａは、ＰＣ１Ａからのデータ受信を開始するまで待機し、ＰＣ１Ａが画像データを送信したら、そ
の画像データを受信して（Ｓ１１５）、図６（Ｂ）に示す処理を終了する。
【００６９】
図６（Ｂ）に示す処理を終了すると、図５に示すＳ４６を終えたことになるので、以降は第一実施形態と同様にＳ５０以降の処理ステップを実行する。なお、Ｓ５０以降の処理ステップを実行する際、Ｓ６６では再び図６（Ｂ）に示す処理を実行することになる。その場合は、上述の通り、画像読取装置１Ｂでは図７に示す処理も実行され、ＰＣ１Ａは画像読取装置１Ｂから画像データを取得する。
【００７０】
［効果］
以上のように構成された画像読取システムでも、Ｓ１０の情報取得処理によって取得された情報中に、第一形式のファイル（例えばＰＤＦファイル又はＴＩＦＦファイル）を出力する旨の設定が含まれている場合、まずは、Ｓ２１又はＳ４６で読み取られる一つの処理単位（ＡＤＦ部６にセットされた少なくとも一枚のシート、又はＦＢ部５に載置された一枚のシート。）に対する読取処理を実行する。
【００７１】
そして、Ｓ３０又はＳ５５の問い合わせ処理において継続する旨を示す操作が行われれば、複合機１は、Ｓ３０−Ｓ４１又はＳ５５−Ｓ６６によって二つめ以降の処理単位に対する読取処理を繰り返し実行する。その際、Ｓ２１及びＳ４１、もしくはＳ４６及びＳ６６では、読取処理によって得られる少なくとも一つの画像の画像データ全てを第一形式のファイル（例えばＰＤＦファイル又はＴＩＦＦファイル）に格納することで、単一のファイルとして出力することができる。なお、Ｓ２０からＳ２５での肯定判断を経てＳ３０−Ｓ４０へと進む処理、及びＳ４５からＳ５０での肯定判断を経てＳ５５−Ｓ６５へと進む処理が本明細書でいう第一出力処理の一例に相当する。
【００７２】
一方、Ｓ１０の情報取得処理によって取得された情報中に、第二形式のファイル（例えばＪＰＥＧファイル。）を出力する旨の設定が含まれている場合、複合機１は、Ｓ２１又はＳ４６で読み取られる一つの処理単位に対する読取処理を実行する。そして、上述のような問い合わせ処理（Ｓ３０又はＳ５５）を実施することなく、読取処理によって得られる少なくとも一つの画像の画像データを画像と一対一で対応する第二形式のファイル（例えばＪＰＥＧファイル。）に格納することで、画像と同数のファイルとして出力することができる。
【００７３】
したがって、第一形式のファイルを出力する場合とは異なり、利用者は問い合わせ処理に対する操作を実施しなくても済み、第二形式のファイルを出力する際の操作性を、第一形式のファイルを出力する場合よりも向上させることができる。なお、Ｓ２０からＳ２５での否定判断を経て終了に至る処理、及びＳ４５からＳ５０での否定判断を経て終了に至る処理が本明細書でいう第二出力処理の一例に相当する。
【００７４】
（３）補足
以上、画像読取装置、及びプログラムについて、例示的な実施形態を挙げて説明したが、上述の実施形態は本発明の一態様として例示されるものに過ぎない。すなわち、本発明は、上述の例示的な実施形態に限定されるものではなく、本発明の技術的思想を逸脱しない範囲内において、様々な形態で実施することができる。
【００７５】
例えば、上記第一実施形態では複合機１に全ての構成を備える例を示し、上記第二実施形態ではＰＣ１Ａに一部の構成を備えるとともに、画像読取装置１Ｂに残りの一部の構成を備える例を示したが、機能が損なわれない範囲内において、個々の構成をどの機器が備えるかは任意である。
【００７６】
また、上記各実施形態において、一つの構成要素で実現していた所定の機能を、複数の
構成要素が協働して実現するように構成してあってもよい。あるいは、上記実施形態では、複数の構成要素それぞれが有していた複数の機能や、複数の構成要素が協働して実現していた所定の機能を、一つの構成要素が実現するように構成してあってもよい。また、上記実施形態の構成の少なくとも一部を、同様の機能を有する公知の構成に置き換えてもよい。また、上記実施形態の構成の一部を省略してもよい。また、上記実施形態の構成の少なくとも一部を、他の上記実施形態の構成に対して付加又は置換してもよい。
【００７７】
なお、以上説明した例示的な実施形態から、本明細書で説明した画像読取装置は、更に以下に挙げるような構成を備えていてもよいことが把握できる。
まず、本明細書で説明した画像読取装置は、供給位置にセットされる一つの処理単位に含まれる少なくとも一つの読み取り対象物を、所定の搬送経路に沿って供給位置から排出位置へと搬送可能に構成された搬送部を備え、読取部は、搬送部によって搬送される読み取り対象物の画像を読み取り可能に構成されてもよい。
【００７８】
このように構成された画像読取装置によれば、搬送部によって搬送される読み取り対象物を対象に、上述のような読取処理を行い、その際、第一形式のファイル及び第二形式のファイルのうち、情報取得処理によって取得された情報中に含まれる設定に従った形式のファイルを出力することができる。
【００７９】
また、本明細書で説明した画像読取装置は、一つの処理単位に含まれる一つの読み取り対象物を支持可能に構成されたプラテン部を備え、読取部は、プラテン部によって支持された読み取り対象物の画像を読み取り可能に構成されていてもよい。
【００８０】
このように構成された画像読取装置によれば、プラテン部によって支持された読み取り対象物を対象に、上述のような読取処理を行い、その際、第一形式のファイル及び第二形式のファイルのうち、情報取得処理によって取得された情報中に含まれる設定に従った形式のファイルを出力することができる。
【００８１】
また、本明細書で説明した画像読取装置において、第一形式のファイルは、ＰＤＦ（Portable Document Format）形式のファイル、又はＴＩＦＦ（Tagged Image File Format）形式のファイルであってもよい。
【００８２】
このように構成された画像読取装置によれば、第一形式のファイルとして、ＰＤＦ形式のファイル、又はＴＩＦＦ形式のファイルを出力することができる。
【符号の説明】
【００８３】
１…複合機、１Ａ…ＰＣ（Personal Computer）、１Ｂ…画像読取装置、２…本体ユニット、３…読取ユニット、５…ＦＢ部、６…ＡＤＦ部、１１…制御部、１１Ａ…ＣＰＵ、１１Ａ…制御部、１１Ｂ…ＲＯＭ、１１Ｂ…制御部、１１Ｃ…ＲＡＭ、１１Ｄ…ＮＶＲＡＭ、１１Ｅ…インターフェース部、１２…画像形成部、１３，１３Ａ，１３Ｂ…ＬＡＮ通信部、１４…操作パネル、１４Ａ…液晶ディスプレイ、１４１…入力部、１４２…表示部、１５…イメージセンサ、１７…モータ、１８…モータ、１９…シート検知センサ、２１…ダイアログ、２２…ボタン、２３…ボタン。
【図１】
0006384387.tif 000002
【図２】
0006384387.tif 000003
【図３】
0006384387.tif 000004
【図４】
0006384387.tif 000005
【図５】
0006384387.tif 000006
【図６】
0006384387.tif 000007
【図７】
0006384387.tif 000008